(57)【要約】【課題】            従来の中継用のストックフィダーは、側面・前後枠体、隅角柱枠体とでなるフレームと、フレームに設けた多段のローラ群で構成する。この構造では、多段のローラは、固定式であり次の問題点を有する。ローラの故障、取替え等の場合は、ローラの奥面側の作業では、隣接機械、壁面等の障害物があり、体の自由がきかないこと、修理ができないこと、又は手間を要すること等の管理面での弊害が考えられる。【解決手段】        本発明は、左右側面・前後枠体、隅角柱枠体とで形成したフレームと、フレームに設けたスライドレールに、可動自在に挿設された多段のスライダーと、スライダーにローラ枠体を介して回転自在に架承した多数のローラと、スライダーの前進限と後退限を規制するセンサとで構成し、スライダーの前進限において、ローラ全体が、フレーム外に設置可能に、スライダーを各スライドレールに装置した中継用のストックフィダーである。【選択図】          図1
2005067866.tif 000002
【特許請求の範囲】
【請求項１】
複数の左右側面・前後枠体、及びこの左右側面・前後枠体を多段に支持する隅角柱枠体とで形成したフレームと、このフレームの各左右側面枠体に、それぞれ設けた各スライドレールに、それぞれ可動自在に挿設された多段のスライダーと、この各スライダーにローラ枠体を介してそれぞれ回転自在に架承した多数のローラと、前記各スライダーの前進限と後退限を規制する前記フレームに設けたセンサとで構成するとともに、前記各スライダーの前進限において、各ローラ全体が、前記フレーム外に設置可能に、当該スライダーを前記各スライドレールに装置したことを特徴とする搬送路に設けた中継用のストックフィダー。
【請求項２】
請求項1に記載の各スライダーの上方に、ガイドパイプを配備する構成とした中継用のストックフィダー。
【請求項３】
請求項1に記載のフレームを対で設け、このそれぞれのフレームに、各スライドレール、スライダー、又はスライダー枠体、ローラ、またセンサをそれぞれ配備する構成とした中継用のストックフィダー。
【請求項４】
請求項1に記載の各ローラは、内部に駆動源としてモータを配備する構成とした中継用のストックフィダー。
【請求項５】
請求項1に記載の中継用のストックフィダーの後部に、昇降式のリフタと、移動手段とを配備した中継用のストックフィダー機構。
【発明の詳細な説明】
【技術分野】
【０００１】
本発明は、中継用のストックフィダーと、その機構に関する。
【背景技術】
【０００２】
従来、この種の中継用のストックフィダーとして利用されている構造は、複数の左右側面・前後枠体、及びこの左右側面・前後枠体を多段に支持する隅角柱枠体とで形成したフレームと、このフレームに固止された多段のローラ群とで構成した構造である。この構造では、多段のローラは、フレームに対し、固定式であったので、例えば、次のような問題点を有していた。即ち、ローラが故障、取替え等の場合において、ローラの奥面側（後方側）を修理等する作業では、隣接して他の機械、又は壁面等の障害物があり、体の自由がきかないこと、また修理ができないこと、又は手間を要すること等の如く、管理面での弊害が考えられる。またローラ内に加工物、部品等の物を収容した箱を挿入する際にも、ローラ内に箱の先端を挿入し、続いて、この箱を押し込む必要があり、作業が面倒であること、又は時間を要すること等の問題点があった。
【０００３】
また他の例として、一般の品物を収容する引出し、又は収容部を備えた道具、又は棚等がある。この例では、この種の道具、棚等のフレーム、又は本体等に設けたスライドレールと、このスライドレールに係合する転子、又は突条とを利用して交換部品を載架するケース（ケースとする）、又は引出しを出し入れ自在に設けた構成が知られている。しかし、これらの構成は、単にケース、引出しの出し入れを、主たる目的とすること、又は比較的小型のケース等を出し入れする構造に限られること等の如く、比較的限定される構造である。そして、この種の構造では、ケース等の一部を残し、引出す構造であることから、当該ケースの全体を、フレーム外に位置させることは不可能であること、このケースの全体を修理等する場合には、少なからず問題を残すこと等が考えられる。
【０００４】
そして、この従来の構造に関する一例として、特開2002-160411のプリンタがある。この発明は、ロール紙を収容できる引出し体を、プリンタ本体より引出し可能とした構造である。
【０００５】
【特許文献１】特開2002-160411
【発明の開示】
【発明が解決しようとする課題】
【０００６】
前述した如く、従来の構造では、その主たる目的は、単にケース、引出しの出し入れであること、又は比較的小型のケース等の出し入れに限られること等の如く、比較的限定される態様である。そして、この構造では、ケース等の一部を残し、引出す構造であることから、当該ケースの全体を、フレーム外に位置させることは不可能であること、このケースの全体を修理等する場合には、少なからず問題を残すこと等が考えられる。
【０００７】
上記に鑑み、本発明は、スライダーの前進限において、多数のローラ全体が、枠組み構成したフレーム外に設置可能とし、スライダーをスライドレールに装置した内容として、搬送路の途中に中継基地としての役割を担った最適で、合理的な中継用のストックフィダーを提供すること、及びこの中継用のストックフィダーは、中継用のストックフィダーを、昇降式のリフタと、移動手段、並びに搬送用コンベアで構成したことで、効率的な搬送と、各部位（殊に電動ローラ）の故障、取替え等に伴うメンテナンスの簡便化、迅速化等を図りつつ、しかも低価格の中継用のストックフィダー機構を提供すること等を意図する。
【課題を解決するための手段】
【０００８】
請求項1の発明は、前述の目的を達成するに最適な中継用のストックフィダーを提供する。
【０００９】
請求項1は、複数の左右側面・前後枠体、及びこの左右側面・前後枠体を多段に支持する隅角柱枠体とで形成したフレームと、このフレームの各左右側面枠体に、それぞれ設けた各スライドレールに、それぞれ可動自在に挿設された多段のスライダーと、この各スライダーにローラ枠体を介してそれぞれ回転自在に架承した多数のローラと、前記各スライダーの前進限と後退限を規制する前記フレームに設けたセンサとで構成するとともに、前記各スライダーの前進限において、各ローラ全体が、前記フレーム外に設置可能に、当該スライダーを前記各スライドレールに装置したことを特徴とする搬送路に設けた中継用のストックフィダーである。
【００１０】
また請求項2の発明は、請求項1の目的を達成し、かつローラ上に、確実に箱、ケース、又は品物を挿入かつ搬送できるガイドパイプの構造を提供する。
【００１１】
請求項2は、請求項1に記載の各スライダーの上方に、ガイドパイプを配備する構成とした中継用のストックフィダーである。
【００１２】
また請求項3の発明は、請求項1の目的を達成し、かつ多数列の中継用のストックフィダーを提供する。
【００１３】
請求項3は、請求項1に記載のフレームを対で設け、このそれぞれのフレームに、各スライドレール、スライダー、又はスライダー枠体、ローラ、またセンサをそれぞれ配備する構成とした中継用のストックフィダーである。
【００１４】
また請求項4の発明は、請求項1の目的を達成し、かつ最適なローラを提供する。
【００１５】
請求項4は、請求項1に記載の各ローラは、内部に駆動源としてモータを配備する構成とした中継用のストックフィダーである。
【００１６】
請求項5の発明は、請求項1の目的を達成し、しかもこの中継用のストックフィダーを最大限に利用できる中継用のストックフィダー機構を提供する。
【００１７】
請求項5は、請求項1に記載の中継用のストックフィダーの後部に、昇降式のリフタと、移動手段とを配備した中継用のストックフィダー機構である。
【発明の効果】
【００１８】
請求項1の発明は、複数の左右側面・前後枠体、及び隅角柱枠体とで形成したフレームと、フレームの各左右側面枠体に、それぞれ設けた各スライドレールに、それぞれ可動自在に挿設された多段のスライダーと、各スライダーにローラ枠体を介してそれぞれ回転自在に架承した多数のローラと、各スライダーの前進限と後退限を規制するフレームに設けたセンサとで構成するとともに、各スライダーの前進限において、各ローラ全体が、フレーム外に設置可能に、スライダーを各スライドレールに装置した搬送路に設けた中継用のストックフィダーである。
【００１９】
従って、請求項1は、スライダーの前進限において、多数のローラ全体が、フレーム外に設置可能とし、ローラの保守管理、取替え等の容易化、簡便化、迅速化等が図れること、殊に奥面に位置するローラの保守管理、取替え等の容易化、簡便化等が図れること等の特徴がある。またスライダーをスライドレールに装置し、このスライダーを入れ子式に伸縮可能としたので、搬送路の途中に中継基地としての役割を担った最適で、合理的な中継用のストックフィダーを提供できる実益がある。
【００２０】
請求項2の発明は、請求項1に記載の各スライダーの上方に、ガイドパイプを配備する構成とした中継用のストックフィダーである。
【００２１】
従って、請求項2の発明は、請求項1の目的を達成し、かつローラ上に、確実に箱、ケース、又は品物を挿入かつ搬送できるガイドパイプの構造を提供できる。
【００２２】
また請求項3の発明は、請求項1に記載のフレームを対で設け、それぞれのフレームに、各スライドレール、スライダー、又はスライダー枠体、ローラ、またセンサをそれぞれ配備する構成とした中継用のストックフィダーである。
【００２３】
従って、請求項3は、請求項1の目的を達成し、かつ多数列の中継用のストックフィダーを提供できる。
【００２４】
請求項4の発明は、請求項1に記載の各ローラは、内部に駆動源としてモータを配備する構成とした中継用のストックフィダーである。
【００２５】
従って、請求項4は、請求項1の目的を達成し、かつ最適なローラを提供できる。
【００２６】
請求項5の発明は、請求項1に記載の中継用のストックフィダーの後部に、昇降式のリフタと、移動手段とを配備した中継用のストックフィダー機構である。
【００２７】
従って、請求項5の発明は、請求項1の目的を達成できること、また中継用のストックフィダーを、昇降式のリフタと、移動手段、並びに搬送用コンベアで構成したことで、効率的な搬送と、各部位の故障、取替え等に伴うメンテナンスの簡便化、迅速化等を図りつつ、しかも低価格の中継用のストックフィダー機構を提供できる特徴がある。
【発明を実施するための最良の形態】
【００２８】
以下、本発明の実施の態様（形態）を説明する。
【００２９】
1はフレームで、このフレーム1は、複数の左右側面枠体2、3と、前後枠体4、5と、この左右側面枠体2、3及び前後枠体4、5を多段に支持する隅角柱枠体6、6・・・とで枠組み形成されており、その少なくとも左右側面（両側面）と前後側面は、修理、交換、確認等の容易化、迅速化、簡易化等を意図して開放されている。そして、この前後側面は、箱等の収容物を出し入れ及び／又は修理等をするために全面開放である。また必要により天板、底面も、修理等の容易化等を意図して全面開放する。
【００３０】
図中7は前記多段の左右側面枠体2、3の内側にそれぞれ設けたスライドレールで、この各スライドレール7には、入れ子式でなる複数本のスライダー枠体80で構成したスライダー8がそれぞれ設けられている。即ち、この各複数本のスライダー枠体80が入れ子式に伸縮することを利用して、後述する各ローラ全体が、前記フレーム1外に設置される構造である。そして、この各スライダー枠体80の中の先端側にはローラ枠体90がそれぞれ固止されている。この左右側において対のローラ枠体90には、軸受けを介してローラ9（電動ローラ）が数本架承されている。このローラ9には可撓性のガイド帯体10に設けた配線（図示せず）を介して動力が供給される。図中11はスライダー枠体80に設けた転子で、この転子11を利用してスライダー枠体80がスムーズにスライドレール7内を移動する。またスライダー枠体80相互間にも図示しないが転子を設ける。そして、この例では、ローラ9が一連で図示の如く、一段を構成し、この例では四段を構成する。
【００３１】
図中12はローラ9に設けた前進限又は後退限を決めるリミットスイッチ等のセンサであり、必要により設けられる。13は箱を示す。また図中14はローラ枠体90に立設したガイドパイプを示す。
【００３２】
図中20は昇降式のリフタであり、このリフタ20は移動式のベース21と、このベースを昇降する昇降手段22及び／又は移動手段23と、この昇降手段22及び／又は移動手段23を駆動する駆動手段24とで構成されている。図中25はセンサを示す。
【００３３】
尚、図1〜図7に示した例は、中継用のストックフィダーが二基の一例であり、図8、図9は中継用のストックフィダーが一基の例を示している。
【００３４】
以下、本発明の使用の一例を説明する。手前（前側）のローラ9を手動及び／又は自動（図示せず）を利用して引出すことで、スライダー8が順次スライドレール7、スライダー枠体80内を移動しながら延展して、ローラ9全体がフレーム1外に移動する（突出する）。この状態で、ローラ9の上に箱13を載架し、ローラ9又は箱13を手動及び／又は自動（図示せず）を利用して押込むことで、スライダー8が順次スライドレール7、スライダー枠体80内に収容されながら収縮して、ローラ9全体がフレーム1内に収まる（収容される）。尚、故障、取替え等の作業の場合は、前記引出した状態において、ローラ9が略裸の状態であるので、フレーム1又は他の機械、壁等の障害物に邪魔されることなく、作業ができる。また箱13の出し入れ等が、簡便、スムーズに行えること、効率的な搬送ができること等の特徴がある。また箱13は、センサ12の働きで、ローラ9の所定の箇所で停止される。
【００３５】
以上のようにして、この中継用のストックフィダー（一基・二基の例を含む）に収容された箱13は、昇降及び／又は移動するリフタ20の昇降及び／又は移動を利用して、順次搬送コンベア30又は収容箇所に、多方向に順序良く供給又は移動される。図中26はフレームを示す。
【図面の簡単な説明】
【００３６】
【図１】中継用のストックフィダーの二基の例を示した平面図
【図２】図1の正面図
【図３】図1の要部側面図
【図４】図1に対応した中継用のストックフィダー機構の平面図
【図５】図4の背面図
【図６】図4の側面図
【図７】図4の他の一例の側面図
【図８】中継用のストックフィダーの一基の例を示した平面図
【図９】図8の側面図
【符号の説明】
【００３７】
1            フレーム
2            （左）側面枠体
3            （右）側面枠体
4            前枠体
5            後枠体
6            隅角柱枠体
7            スライドレール
8            スライダー
80           スライダー枠体
9            ローラ
90           ローラ枠体
10           ガイド帯体
11           転子
12           センサ
13           箱
14           ガイドパイプ
20           リフタ
21           ベース
22           昇降手段
23           移動手段
24           駆動手段
25           センサ
26           フレーム
30           搬送コンベア
【図１】
2005067866.tif 000003
【図２】
2005067866.tif 000004
【図３】
2005067866.tif 000005
【図４】
2005067866.tif 000006
【図５】
2005067866.tif 000007
【図６】
2005067866.tif 000008
【図７】
2005067866.tif 000009
【図８】
2005067866.tif 000010
【図９】
2005067866.tif 000011